(57)【特許請求の範囲】
【請求項１】
基端部を固定し、先端部で線状体を固定して該線状体を張設する線状体緊張金具において、前記先端部に、外周に幅の広い第１溝と該第１溝の底に幅の狭い第２溝を設けた弾性材からなる引留め具を前記第１と第２溝の幅方向に貫通する圧縮ボルトで固定し、前記線状体の先端部は、チューブを被せるとともに止め金具で先端部に輪を形成し、この輪を前記第１溝に挿入し、前記線状体の中間部は、前記第２溝に巻いて挿入し、前記圧縮ボルトを締め付けることで前記引留め具を圧縮変形して前記線状体を挟持固定するように構成したことを特徴とする線状体緊張金具。
【発明の詳細な説明】
【０００１】
【発明の属する技術分野】
本発明は、ワイヤおよびロープ等の線状体を張設するための線状体緊張金具に関するものである。
【０００２】
【従来の技術】
架空線および鉄塔の梁等に鳥が群れをなして止まり、または巣作りをするならば、架空線下の建造物等を糞尿でよごし、または送電事故を生じさせる虞がある。そこで、架空線および梁上に鳥が止まるのを防止するように、細い線状体が張設される。かかる線状体の張設金具の従来技術としては、実公昭５８−３６２９７号公報や実開昭６３−１１３４３０号公報および実開昭６３−１１３４３１号公報等に示されたものがある。
【０００３】
【発明が解決しようとする課題】
従来の線状体緊張金具にあっては、細い線状体の先端部および中間部をともに線状体を傷つけることなく確実に固定することができない。
【０００４】
本発明は、上述のごとき従来技術の事情に鑑みてなされたもので、細い線状体の先端部および中間部を確実に固定できる線状体緊張金具を提供することにある。
【０００５】
【課題を解決するための手段】
かかる目的を達成するために、本発明の線状体緊張金具は、引留め具に幅の広い第１溝とその底に幅の狭い第２溝を設け、チューブを被せて輪とした線状体の先端部を第１溝に挿入し、中間部を第２溝に挿入して巻き、圧縮ボルトで引留め具を圧縮変形して線状体を挟持固定するように構成されている。
【０００６】
【発明の実施の形態】
以下、本発明の実施例を、図１ないし図３を参照して説明する。図１は、本発明の線状体緊張金具の構造図であり、（ａ）は左側面図、（ｂ）は正面図、（ｃ）は右側面図であり、図２は、引留め具の構造図であり、（ａ）は本発明の線状体緊張金具の先端部を上部から見た拡大図、（ｂ）は引留め具の断面図であり、図３は、引留め具による線状体の挟持固定を説明する図であり、（ａ）は線状体の先端部を固定して上部から見た図、（ｂ）は（ａ）のＸ−Ｘ断面矢視図、（ｃ）は線状体の中間部を固定して上部から見た図、（ｄ）は（ｃ）のＹ−Ｙ断面矢視図である。
【０００７】
図において、本発明の線状体緊張金具は、帯鋼からなる上部金具１０と下部金具１２が上下方向にずれて一部分が重ねられ、重ねられた部分で連結ボルト１４により連結される。そして、上部金具１０の先端部に線状体１６を挟持固定する引留め具１８が圧縮ボルト２０により設けられる。また、下部金具１２には、この下部金具１２とともに山形鋼２２を抱えて固定し、本発明の線状体緊張金具の基端部を固定するＶボルト２４が設けられる。
【０００８】
以下、各部分の構造をより詳細に説明する。まず、引留め具１８は、樹脂等の弾性を有する材料からなり、上部金具１０の先端部に圧縮ボルト２０が貫通して共締め固定される。しかも、引留め具１８の圧縮ボルト２０の軸回りの外周面には、幅の広い第１溝１８ａとさらにこの第１溝１８ａの底にほぼ線状体１６の径の幅を有する第２溝１８ｂが階段状に設けられている。そして、線状体１６の先端部は、樹脂等の可撓性を有するチューブ２６を被せ、このチューブ２６で第１溝１８ａに挿入し得る径の輪を形成して止め金具２８でこの輪が保持される。この輪を引留め具１８の第１溝１８ａに挿入して圧縮ボルト２０を締め付けることで、引留め具１８は圧縮変形し、第１溝１８ａ内で線状体１６およびこれに被せたチューブ２６が挟持される。もって、線状体１６の先端部が引留め具１８に確実に固定される。また、線状体１６の中間部は、引留め具１８の第２溝１８ｂに挿入して巻き付け、圧縮ボルト２０を締め付ければ容易に引留め具１８で圧縮挟持される。線状体１６は、先端部および中間部のいずれもが同一形状の引留め具１８で挟持固定され、線状体１６の先端部と中間部とで別々の線状体緊張金具を用いる必要がなく、作業性が良いとともに量産効果等により経済的でもある。しかも、線状体１６は、引留め具１８に弾力的に挟持固定されるため、線状体１６の一部に過大な力が作用するようなことがなく、線状体１６が損傷して断線するようなことがない。
【０００９】
また、下部金具１２に設けられるＶボルト２４の構造は、その両端が下部金具１２の中間部に穿設された孔と下端から先端方向に設けられた切り込み溝１２ａとにそれぞれ貫通され、適宜にナットが螺合される。そして、このＶボルト２４の山形鋼の両端辺を結ぶ斜辺２４ａの中間部で、このＶボルト２４の形成する面と直交する軸２４ｂにより折り曲げ自在に構成されている。なお、軸２４ｂによる折り曲げ自在の構造は、Ｖボルト２４のＶ字状の屈折部で折り曲げ自在であっても良い。かかる構成により、ナットを緩めれば一端部が下部金具１２の切り込み溝１２ａから抜けてＶボルト２４が中間から、図１（ｂ）の二点鎖線のごとく、折れ曲がる。そこで、Ｖボルト２４が折れ曲がった状態で、山形鋼２２に下部金具１２を押し当て、その後でＶボルト２４をＶ字状として一端部を切り込み溝１２ａに挿入して、ナットを締め付けることで、線状体緊張金具の基端部を山形鋼２２に作業性良く固定することができる。また、作業中にあっても常に下部金具１２にＶボルト２４が繋がっており、部品を落下させる虞もない。
【００１０】
さらに、連結ボルト１４が設けられた付近の構造は、上部金具１０には上下方向の長孔１０ａが設けられ、下部金具１２には挿入孔が設けられて、連結ボルト１４が上部金具１０と下部金具１２に貫通される。また、上部金具１０の下端から先端方向にＶボルト２４の一辺が挿入され得るようにＶボルト用切り込み溝１０ｂが設けられている。かかる構成にあっては、上部金具１０は下部金具１２に対して上下方向に所定寸法だけ相対移動ができる。そこで、上部金具１０を下方に移動させてＶボルト用切り込み溝１０ｂにＶボルト２４の一辺を挿入させた状態では、この挿入と連結ボルト１４の貫通により、上部金具１０は下部金具１２に対して連結ボルト１４を中心として回転し得ない。しかし、上部金具１０を下部金具１２に対して上方に移動させてＶボルト用切り込み溝１０ｂからＶボルト２４を抜けば、連結ボルト１４を中心として、図１（ａ）に二点鎖線で示すごとく、回転し得る。したがって、線状体１６を張設する際には、Ｖボルト用切り込み溝１０ｂにＶボルト２４の一辺が挿入された状態で連結ボルト１４を締め付け固定し、線状体１６を緩める際は、Ｖボルト用切り込み溝１０ｂからＶボルト２４を上下に抜いてさらに回転させて上部金具１０を倒した状態とすれば良い。簡単に線状体１６を張設ならびに緩めることができる。
【００１１】
なお、圧縮ボルト２０および連結ボルト１４は、ナットを締め付ける際にボルト自体が共回りしないように、角根丸頭ボルトを用いるとともに上部金具１０と下部金具１２のそれぞれ挿入される孔が角孔とされている。また、圧縮ボルト２０のナットを締め付ける際に、引留め具１６が共回りしないように、引留め具１６は上部金具１０への当接部分がこの上部金具１０に嵌合するコ字状に形成されている。
【００１２】
【発明の効果】
以上説明したように、本発明の線状体緊張金具は構成されているので、以下のごとき格別な効果を奏する。
【００１３】
請求項１記載の線状体緊張金具にあっては、同一部材で線状体の先端部と中間部とをともに確実に挟持固定し得る。しかも、線状体は弾力的に挟持固定されるので、線状体が挟持圧力で損傷するようなことがなく、断線することがない。
【図面の簡単な説明】
【図１】本発明の線状体緊張金具の構造図であり、（ａ）は左側面図、（ｂ）は正面図、（ｃ）は右側面図である。
【図２】引留め具の構造図であり、（ａ）は本発明の線状体緊張金具の先端部を上部から見た拡大図、（ｂ）は引留め具の断面図である。
【図３】引留め具による線状体の挟持固定を説明する図であり、（ａ）は線状体の先端部を固定して上部から見た図、（ｂ）は（ａ）のＸ−Ｘ断面矢視図、（ｃ）は線状体の中間部を固定して上部から見た図、（ｄ）は（ｃ）のＹ−Ｙ断面矢視図である。
【符号の説明】
１０    上部金具
１０ａ  長孔
１０ｂ  Ｖボルト用切り込み溝
１２    下部金具
１２ａ  切り込み溝
１４    連結ボルト
１６    線状体
１８    引留め金具
１８ａ  第１溝
１８ｂ  第２溝
２０    圧縮ボルト
２２    山形鋼
２４    Ｖボルト
２４ａ  斜辺
２４ｂ  軸
２６    チューブ
２８    止め金具
【図１】
0003605199.tif 000002
【図２】
0003605199.tif 000003
【図３】
0003605199.tif 000004